(57)【特許請求の範囲】
【請求項１】
映像を表示するプラズマディスプレイパネルと、
前記プラズマディスプレイパネルに装着されて前記プラズマディスプレイパネルを支持するシャーシーベースと、
前記プラズマディスプレイパネルの前面または背面のいずれか一面に備えられて前記プラズマディスプレイパネルから放出される赤外線量の変化を感知する赤外線センサと、
前記赤外線量の変化の感知信号によって赤外線量が変化した位置をタッチ位置として判断する制御部と、を含むことを特徴とするプラズマディスプレイ装置。
【請求項２】
前記赤外線センサは、前記プラズマディスプレイパネルの前面に備えられることを特徴とする、請求項１に記載のプラズマディスプレイ装置。
【請求項３】
前記プラズマディスプレイパネルは、
映像を表示する表示領域と、
前記表示領域の外郭で映像を表示しない非表示領域と、を含み、
前記赤外線センサは、
前記表示領域の四角形の各隅に対応する前記非表示領域に配置される第１１赤外線センサ、第１２赤外線センサ、第１３赤外線センサおよび第１４赤外線センサを含むことを特徴とする、請求項２に記載のプラズマディスプレイ装置。
【請求項４】
前記赤外線センサは前記プラズマディスプレイパネルの背面に備えられることを特徴とする、請求項１に記載のプラズマディスプレイ装置。
【請求項５】
前記プラズマディスプレイパネルは、
映像を表示する表示領域と、
前記表示領域の外郭で映像を表示しない非表示領域と、を含み、
前記赤外線センサは、
前記表示領域の四角形の各隅に対応する前記非表示領域に配置される第２１赤外線センサ、第２２赤外線センサ、第２３赤外線センサおよび第２４赤外線センサを含むことを特徴とする、請求項４に記載のプラズマディスプレイ装置。
【請求項６】
前記シャーシーベースの背面に装着され、前記プラズマディスプレイパネルに電気的に接続される印刷回路ボードアセンブリを含み、
前記制御部は、前記印刷回路ボードアセンブリに備えられることを特徴とする、請求項１に記載のプラズマディスプレイ装置。
【請求項７】
前記プラズマディスプレイパネルは、
互いに対向する長辺対と、前記長辺に直交し互いに対向する短辺対と、を含み、
前記シャーシーベースは、
前記長辺対および前記短辺対と対向して付着される第１水平部材と、
前記第１水平部材から前記プラズマディスプレイパネルの反対側に折り曲げられる垂直部材と、
前記垂直部材から折り曲げられて前記第１水平部材と平行する第２水平部材と、を含むことを特徴とする、請求項１に記載のプラズマディスプレイ装置。
【請求項８】
前記第１水平部材は、
前記長辺対と前記短辺対に対応する四角形の枠で形成されることを特徴とする、請求項７に記載のプラズマディスプレイ装置。
【請求項９】
前記プラズマディスプレイパネルと前記第１水平部材との間に介される両面テープを含むことを特徴とする、請求項８に記載のプラズマディスプレイ装置。
【請求項１０】
前記垂直部材は、
前記プラズマディスプレイパネルの背面と前記第２水平部材との間の空間を外部に連結して気流を形成する通気孔を含むことを特徴とする、請求項７に記載のプラズマディスプレイ装置。
【請求項１１】
映像を表示するプラズマディスプレイパネルと、
前記プラズマディスプレイパネルに装着されて前記プラズマディスプレイパネルを支持するシャーシーベースと、
前記プラズマディスプレイパネルの前面または背面のいずれか一面に備えられて、前記プラズマディスプレイパネルから放出される赤外線量の変化を撮影する赤外線カメラと、
前記赤外線量変化の撮影信号によって赤外線量が変化された位置をタッチ位置として判断する印刷回路ボードアセンブリと、を含むことを特徴とするプラズマディスプレイ装置。
【請求項１２】
前記赤外線カメラは前記プラズマディスプレイパネルの前面に備えられ、
前記赤外線は前記プラズマディスプレイパネルの前面から放出される８００〜１０００ｎｍの波長を有することを特徴とする、請求項１１に記載のプラズマディスプレイ装置。
【請求項１３】
前記赤外線カメラは前記プラズマディスプレイパネルの背面に備えられ、
前記赤外線は、８００〜１０００ｎｍの波長を有し、前記プラズマディスプレイパネルの表示領域の前の物体から後ろに反射して該表示領域の背面から放出されることを特徴とする、請求項１１に記載のプラズマディスプレイ装置。
【請求項１４】
前記プラズマディスプレイパネルは、
映像を表示する表示領域と、
前記表示領域の外郭で映像を表示しない非表示領域と、を含み、
前記赤外線カメラは、
前記表示領域の四角形の各隅に対応する前記非表示領域に配置される第１１赤外線カメラ、第１２赤外線カメラ、第１３赤外線カメラおよび第１４赤外線カメラを含むことを特徴とする、請求項１１に記載のプラズマディスプレイ装置。
【請求項１５】
前記各々の第１１、第１２、第１３、第１４赤外線カメラは、
前記隅で前記表示領域の面積の１／４以上を占める第１感知領域、第２感知領域、第３感知領域および第４感知領域を有することを特徴とする、請求項１４に記載のプラズマディスプレイ装置。
【請求項１６】
前記第１、第２、第３、第４感知領域は、
互いに隣接する他の感知領域と重なることを特徴とする、請求項１５に記載のプラズマディスプレイ装置。
【請求項１７】
前記第１１、第１２、第１３、第１４赤外線カメラは、
前記プラズマディスプレイパネルの前面から放出される前記赤外線量の変化を前記第１、第２、第３、第４感知領域各々に対応して感知することを特徴とする、請求項１５に記載のプラズマディスプレイ装置。
【請求項１８】
映像を表示するプラズマディスプレイパネルと、
前記プラズマディスプレイパネルに装着されて前記プラズマディスプレイパネルを支持するシャーシーベースと、
前記プラズマディスプレイパネルの前面、背面または側面のいずれか一面に備えられて、前記プラズマディスプレイパネルから放出される赤外線量の変化を検出するディテクターと、
前記ディテクターの検出信号によって赤外線量が変化された位置をタッチ位置として判断する制御部と、を含むことを特徴とするプラズマディスプレイ装置。
【請求項１９】
前記ディテクターは、赤外線センサおよび赤外線カメラのうち、少なくとも一つを含むことを特徴とする、請求項１８に記載のプラズマディスプレイ装置。
【請求項２０】
前記赤外線センサおよび赤外線カメラのうち、少なくとも一つは前記プラズマディスプレイパネルから放出される赤外線量の変化を継続的に感知することを特徴とする、請求項１９に記載のプラズマディスプレイ装置。
【請求項２１】
前記ディテクターは、
互いに交差する２軸で位置を決めるように少なくとも２つで形成されることを特徴とする、請求項１８に記載のプラズマディスプレイ装置。
【請求項２２】
前記プラズマディスプレイパネルから放出される赤外線８００〜１０００ｎｍの波長帯を透過させる赤外線通過フィルタをさらに含むことを特徴とする、請求項１８に記載のプラズマディスプレイ装置。
【請求項２３】
前記プラズマディスプレイパネルを制御するリモコンから照射される赤外線を感知する受光センサを含み、
前記赤外線８００〜１０００ｎｍの波長帯のうち、前記リモコンから照射される赤外線９００〜９５０ｎｍの波長帯を透過させ、他の波長帯を遮断するセンサフィルタをさらに含むことを特徴とする、請求項２２に記載のプラズマディスプレイ装置。
【請求項２４】
前記プラズマディスプレイパネルの前方を囲むフロントケースと、前記シャーシーベースの後方を囲んで前記フロントケースと締結されるリアケースとを含み、
前記受光センサは、
前記プラズマディスプレイパネルの範囲外でフロントケースの内側に備えられ、
前記受光センサフィルタは、
前記受光センサの前方に備えられることを特徴とする、請求項２３に記載のプラズマディスプレイ装置。
【請求項２５】
前記受光センサフィルタは、
２価の銅イオンを含む燐酸塩ガラス製フィルタ、ガラス表面に金属の薄層が形成されたフィルタ、または色素を含む樹脂で形成されたフィルタで形成されることを特徴とする、請求項２３に記載のプラズマディスプレイ装置。
【発明の詳細な説明】
【技術分野】
【０００１】
本発明はプラズマディスプレイ装置に関し、より詳しくはプラズマディスプレイパネルから放出される赤外線を用いて、タッチパネル機能を実現するプラズマディスプレイ装置に関するものである。
【背景技術】
【０００２】
一般に、プラズマディスプレイ装置は、気体放電によって生成されたプラズマを用いて、プラズマディスプレイパネルに映像を表示する装置である。
【０００３】
プラズマディスプレイパネルは、プラズマから放射される真空紫外線（ＶＵＶ：Ｖａｃｕｕｍ  Ｕｌｔｒａｖｉｏｌｅｔ）を用いて、蛍光体を励起させ、蛍光体が安定しながら発生する赤色（Ｒ）、緑色（Ｇ）および青色（Ｂ）の可視光によって映像を表示するディスプレイ素子である。
【０００４】
例えば、交流型プラズマディスプレイパネルは、前面基板と背面基板および両基板との間に備えられる気体放電を起こすアドレス電極および表示電極を備える。
【０００５】
プラズマディスプレイ装置は、プラズマディスプレイパネルに装着されて支持するシャーシーベースと、アドレス電極および表示電極を駆動するための複数の印刷回路ボードアセンブリ（ＰＢＡ）を含む。
【０００６】
プラズマディスプレイパネルは、可視光を放出して映像を表示し、同時に赤外線を放出する。赤外線は映像を表示する表示領域から均一分布で放出される。通常プラズマディスプレイパネルは前面基板に赤外線遮断フィルタを備えて赤外線を遮断している。
【発明の開示】
【発明が解決しようとする課題】
【０００７】
そこで、本発明の目的とするところは、映像表示時に発生し、表示領域に均一に放出される赤外線を用いて、タッチパネル機能を実現することが可能な、新規かつ改良されたプラズマディスプレイ装置を提供することにある。
【課題を解決するための手段】
【０００８】
上記課題を解決するために、本発明のある観点によれば、映像を表示するプラズマディスプレイパネルと、前記プラズマディスプレイパネルに装着されて前記プラズマディスプレイパネルを支持するシャーシーベースと、前記プラズマディスプレイパネルの前面または背面のいずれか一面に備えられ、前記プラズマディスプレイパネルから放出される赤外線量の変化を感知する赤外線センサと、前記赤外線量変化の感知信号によって赤外線量が変化した位置をタッチ位置として判断する制御部と、を含むプラズマディスプレイ装置が提供される。
【０００９】
かかる構成により、シャーシーベースの前面または背面のいずれか一面に備えられる赤外線センサは、プラズマディスプレイパネルから放出される赤外線量の変化を感知することができる。また、プラズマディスプレイ装置が備える制御部により、赤外線量変化の感知信号によって赤外線量が変化した位置をタッチ位置として判断することができる。
【００１０】
また、前記赤外線センサは前記プラズマディスプレイパネルの前面に備えられてもよい。
【００１１】
また、前記プラズマディスプレイパネルは、映像を表示する表示領域と、前記表示領域の外郭で映像を表示しない非表示領域と、を含み、前記赤外線センサは前記表示領域を大略四角形と想定して、その各隅に対応する前記非表示領域に配置される第１１赤外線センサ、第１２赤外線センサ、第１３赤外線センサおよび第１４赤外線センサを含んでもよい。
【００１２】
また、前記赤外線センサは前記プラズマディスプレイパネルの背面に備えられてもよい。
【００１３】
また、前記プラズマディスプレイパネルは映像を表示する表示領域と、前記表示領域の外郭で映像を表示しない非表示領域と、を含み、前記赤外線センサは前記表示領域の四角形の各隅に対応する前記非表示領域に配置される第２１赤外線センサ、第２２赤外線センサ、第２３赤外線センサおよび第２４赤外線センサを含んでもよい。
【００１４】
また、プラズマディスプレイ装置は、前記シャーシーベースの背面に装着され、前記プラズマディスプレイパネルに電気的に接続される印刷回路ボードアセンブリをさらに含んでもよい。この場合、前記制御部は、前記印刷回路ボードアセンブリに備えられることができる。
【００１５】
また、前記プラズマディスプレイパネルは互いに対向する長辺対と、前記長辺に直交し互いに対向する短辺対と、を含み、前記シャーシーベースは前記長辺対および前記短辺対と対向して付着される第１水平部材、前記第１水平部材から前記プラズマディスプレイパネルの反対側に折り曲げられる垂直部材、および前記垂直部材から折り曲げられて前記第１水平部材と平行する第２水平部材を含んでもよい。
【００１６】
また、前記第１水平部材は前記長辺対と前記短辺対に対応する四角形の枠で形成されてもよい。
【００１７】
また、前記プラズマディスプレイパネルと前記第１水平部材間に介される両面テープを含んでもよい。
【００１８】
また、前記垂直部材は、前記プラズマディスプレイパネルの背面と前記第２水平部材間の空間を外部に連結して気流を形成する通気孔を含んでもよい。
【００１９】
また、上記課題を解決するために、本発明の別の観点によれば、映像を表示するプラズマディスプレイパネルと、前記プラズマディスプレイパネルに装着されて前記プラズマディスプレイパネルを支持するシャーシーベースと、前記プラズマディスプレイパネルの前面または背面のいずれか一面に備えられて、前記プラズマディスプレイパネルから放出される赤外線量の変化を撮影する赤外線カメラと、前記赤外線量変化の撮影信号によって赤外線量が変化された位置をタッチ位置として判断する印刷回路ボードアセンブリと、を含むプラズマディスプレイ装置が提供される。
【００２０】
また、前記赤外線カメラは前記プラズマディスプレイパネルの前面に備えられ、前記赤外線は前記プラズマディスプレイパネルの前面から放出される８００〜１０００ｎｍの波長を有してもよい。
【００２１】
また、前記赤外線カメラは前記プラズマディスプレイパネルの背面に備えられ、前記赤外線は前記プラズマディスプレイパネルの前面から背面に反射されて背面から放出される８００〜１０００ｎｍの波長を有してもよい。
【００２２】
また、前記プラズマディスプレイパネルは、映像を表示する表示領域と、前記表示領域の外郭で映像を表示しない非表示領域と、を含み、前記赤外線カメラは、前記表示領域の四角形の各隅に対応する前記非表示領域に配置される第１１赤外線カメラ、第１２赤外線カメラ、第１３赤外線カメラおよび第１４赤外線カメラを含んでもよい。
【００２３】
また、前記各々の第１１、第１２、第１３、第１４赤外線カメラは、前記隅で前記表示領域面積の１／４以上を占める第１感知領域、第２感知領域、第３感知領域および第４感知領域を有してもよい。この場合、前記第１、第２、第３、第４感知領域は、互いに隣接する他の感知領域と重なることもできる。
【００２４】
また、前記第１１、第１２、第１３、第１４赤外線カメラは、前記プラズマディスプレイパネルから放出される前記赤外線量の変化を前記第１、第２、第３、第４感知領域各々に対応して感知できる。
【００２５】
また、上記課題を解決するために、本発明の別の観点によれば、映像を表示するプラズマディスプレイパネルと、前記プラズマディスプレイパネルに装着されて前記プラズマディスプレイパネルを支持するシャーシーベースと、前記プラズマディスプレイパネルの前面、背面または側面のいずれか一面に備えられて前記プラズマディスプレイパネルから放出される赤外線量の変化を検出するディテクターと、前記ディテクターの検出信号によって、赤外線量が変化された位置をタッチ位置として判断する制御部を含むプラズマディスプレイ装置が提供される。
【００２６】
また、前記ディテクターは赤外線センサおよび赤外線カメラのうち、少なくとも一つを含んでもよい。前記赤外線センサおよび赤外線カメラのうち、少なくとも一つはプラズマディスプレイパネルから放出される赤外線を再感知するフィードバックループを含んでもよい。
【００２７】
また、前記ディテクターは、互いに交差する２軸で位置を決めるように少なくとも２つで形成されてもよい。
【００２８】
また、前記プラズマディスプレイ装置は、前記プラズマディスプレイパネルから放出される赤外線８００〜１０００ｎｍの波長帯を透過させる赤外線通過フィルタをさらに含むことができる。
【００２９】
また、前記プラズマディスプレイ装置は、前記プラズマディスプレイパネルを制御するリモコンから照射される赤外線を感知する受光センサを含み、前記赤外線８００〜１０００ｎｍの波長帯のうち、前記リモコンから照射される赤外線９００〜９５０ｎｍの波長帯を透過させて他の波長帯を遮断する受光センサフィルタをさらに含んでもよい。
【００３０】
また、前記プラズマディスプレイ装置は、前記プラズマディスプレイパネルの一側と前記シャーシーベースの一側を各々囲みながら、互いに結合されるフロントケースとリアケースを含んでもよい。この場合、前記受光センサは、前記プラズマディスプレイパネルの範囲外でフロントケースの内側に備えられ、前記受光センサフィルタは前記受光センサの前方に備えられることもできる。
【００３１】
また、前記受光センサフィルタは、２価の銅イオンを含む燐酸塩ガラス製フィルタ、ガラス表面に金属の薄層が形成されたフィルタ、または色素を含む樹脂で形成されたフィルタで形成されてもよい。
【発明の効果】
【００３２】
以上説明したように本発明によれば、映像表示時に発生し、表示領域に均一に放出される赤外線を用いて、タッチパネル機能を実現することが可能である。
【００３３】
また、本発明によるプラズマディスプレイ装置は、プラズマディスプレイパネルの一面に赤外線センサまたは赤外線カメラを備えて、プラズマディスプレイパネルの前面または背面で感知される赤外線量の変化によってタッチ位置を判断でき、タッチパネルの機能を表示する効果がある。
【００３４】
また、プラズマディスプレイパネル自ら均一な分布に放出される赤外線を用いるため、別途の赤外線ソースを要せず、また赤外線ソースを備えることによる装置の体積増大を防止できる。
【発明を実施するための最良の形態】
【００３５】
以下、添付図を参照して本発明の好適な実施形態について、本発明が属する技術分野において通常の知識を有する者が容易に実施できるように詳しく説明する。しかし、本発明は多様な形態に実現でき、ここで説明する実施形態に限られない。図面で本発明を明確に説明するために説明上不要な部分は省略し、明細書全体にわたって同一または類似の構成要素については同一符号を付けた。
【００３６】
（第１実施形態）
図１は本発明の第１実施形態によるプラズマディスプレイ装置の分解斜視図である。
【００３７】
図１を参照すると、本発明の第１実施形態によるプラズマディスプレイ装置はプラズマディスプレイパネル１１、放熱シート１３、シャーシーベース１５および印刷回路ボードアセンブリ１７を含む。
【００３８】
プラズマディスプレイパネル１１は前面基板１１ａと背面基板１１ｂを含み、両基板１１ａ、１１ｂの間で発生される気体放電により画像を表示する。プラズマディスプレイパネル１１は一般的な構成および機能により実現できるものである。
【００３９】
本発明の第１実施形態はタッチの可否による赤外線量の変化を用いてタッチ位置を判断するプラズマディスプレイ装置に関する。従って、プラズマディスプレイパネルの一般的な構成要素に関する具体的な説明は省略する。
【００４０】
図２は図１のＩＩ-ＩＩ線に沿って切断して示した断面図である。
【００４１】
図２を参照すると、シャーシーベース１５は両面テープ１４にプラズマディスプレイパネル１１の背面に装着されてプラズマディスプレイパネル１１を支持する。両面テープ１４の接着力によって、放熱シート１３はプラズマディスプレイパネル１１とシャーシーベース１５との間に配置される。
【００４２】
印刷回路ボードアセンブリ１７は、シャーシーベース１５の背面に装着され、プラズマディスプレイパネル１１に電気的に接続される。印刷回路ボードアセンブリ１７はシャーシーベース１５に備えられる複数のボス１８の上に配置され、このボス１８に締結されるセットスクリュー１９によって固定される。
【００４３】
印刷回路ボードアセンブリ１７は維持電極（図示せず）を制御する維持電極駆動ボード１７ａ、走査電極（図示せず）を制御する走査電極駆動ボード１７ｂ、およびアドレス電極（図示せず）を制御するアドレスバッファーボード１７ｃを含む。
【００４４】
また、印刷回路ボードアセンブリ１７は外部から映像信号を受信して、アドレス電極の駆動に必要な制御信号と、維持電極および走査電極の駆動に必要な制御信号とを生成して、当該印刷回路ボードアセンブリ１７に印加されるロジックボード１７ｄ、および各印刷回路ボードアセンブリ１７ａ、１７ｂ、１７ｃ、１７ｄの駆動に必要な電源を供給するパワーサプライボード１７ｅを含む。
【００４５】
印刷回路ボードアセンブリ１７の駆動によりプラズマディスプレイパネル１１は映像を表示する。
【００４６】
図３は図１のプラズマディスプレイパネルの正面図である。
【００４７】
図３を参照すると、プラズマディスプレイパネル１１は、画像を表示する表示領域（ＤＡ）と、表示領域（ＤＡ）の外郭で画像を表示しない非表示領域（ＮＤ）とに区分できる。
表示領域（ＤＡ）は画像を表示する間に均一な分布で赤外線を前面から放出する（図２参照）。非表示領域（ＮＤ）でも一部赤外線が放出されるが、本発明と関係がないため無視する。
【００４８】
図４はプラズマディスプレイパネルの発光スペクトルを示したグラフである。
【００４９】
図４を参照すると、プラズマディスプレイパネル１１は、表示領域（ＤＡ）の前面で８００〜１０００ｎｍの波長帯の赤外線を放出する。この赤外線はテレビリモコンの赤外線通信に用いられる領域と重なる。
【００５０】
従って、一般にプラズマディスプレイパネルは赤外線遮断フィルタ（図示せず）を用いて、表示領域（ＤＡ）の前面から放出される赤外線を遮断する。
【００５１】
しかし、表示領域（ＤＡ）から放出される赤外線は、赤外線遮断フィルタによって完全に遮断されずに８５％程度遮断され、残り１５％程度は赤外線遮断フィルタを透過する。従って、本実施形態に係るプラズマディスプレイ装置は、赤外線遮断フィルタを備える場合においても適用することができる。
【００５２】
図５はプラズマディスプレイパネルの正面から可視光と赤外線が放出される写真である。
【００５３】
図５を参照すると、赤外線遮断フィルタを除去する場合、プラズマディスプレイパネル１１の表示領域（ＤＡ）から赤外線と可視光が共に放出（中央の明るい部分）されることが確認できる。
【００５４】
図６はプラズマディスプレイパネルの正面から赤外線が放出される写真である。
【００５５】
図６は表示領域（ＤＡ）の前方に赤外線通過フィルタ（ＩＦ、図１３参照）を備えて、図４の赤外線波長帯を記録している。赤外線通過フィルタ（ＩＦ）はプラズマディスプレイパネル１１から放出される赤外線のうち、８００〜１０００ｎｍの波長帯を透過させ、他の波長帯を遮断する。
【００５６】
図６を参照すると、透過された赤外線は表示領域（ＤＡ）の前面から均一な分布に放出（中央の明るい部分）されることが分かる。
【００５７】
赤外線は表示領域（ＤＡ）の前面から均一に放出され、表示領域（ＤＡ）の前の物体（ＰＳ:Ｐｈｙｓｉｃａｌ  Ｓｏｌｉｄ）に突き当たる。この場合、突き当たる位置で赤外線量が変化される。赤外線量の変化を感知すると表示領域（ＤＡ）上で物体（ＰＳ）のタッチ位置が分かる。
【００５８】
再び図３を参照すると、表示領域（ＤＡ）から放出される赤外線量の変化を感知するために、赤外線センサ２０がプラズマディスプレイパネル１１に備えられる。
【００５９】
第１実施形態で、赤外線センサ２０は、プラズマディスプレイパネル１１の前面に備えられる。なお、プラズマディスプレイパネル１１の前面とは、プラズマディスプレイパネル１１と接触・非接触を問わず、赤外線センサ２０がプラズマディスプレイパネル１１の前方に位置していることを意味する。プラズマディスプレイパネル１１の前面に備えられる赤外線センサ２０は、表示領域（ＤＡ）の前面から放出されて、表示領域（ＤＡ）の前の物体（ＰＳ）と突き当たって、発生される赤外線量の変化を感知する。
【００６０】
赤外線センサ２０はプラズマディスプレイパネル１１から放出される赤外線量の変化を感知するために、継続的に赤外線量の変化を感知する。なお、赤外線量の継続的な変化の感知手段については設計者により多様に実現されるため、これに関する具体的な説明は省略する。
【００６１】
より具体的に説明すると、赤外線センサ２０はプラズマディスプレイパネル１１の前面に付着される。プラズマディスプレイパネル１１を含んで装置を完成する場合、プラズマディスプレイパネル１１の前面と背面にフロントケースおよびリアケースが各々提供されているため、赤外線センサはフロントケースに付着されてもよい（図示せず）。
【００６２】
赤外線センサ２０が表示領域（ＤＡ）から放出される赤外線量の変化を感知できるならば、赤外線センサ２０はプラズマディスプレイパネル１１やフロントケースのうち、いずれか一ヶ所に付着できる。赤外線センサ２０は少なくとも２つの赤外線センサから形成されるが、第１実施形態においては４つの赤外線センサから形成される例について説明する。
【００６３】
例えば、赤外線センサ２０は、互いに対向したり、互いに交差したりする２軸でタッチ位置を決めるように、少なくとも２つの赤外線センサで形成される（図示せず）。この場合、赤外線センサ２０が形成する２つの感知軸は一直線上で互いに接することもでき、平面で互いに交差してもよい。互いに接したり交差したりする点がタッチ位置となる。
【００６４】
図３を参照して説明すると、本実施形態においては、赤外線センサ２０は、表示領域（ＤＡ）の四角形の各隅に対応して、非表示領域（ＮＤ）に配置される第１１赤外線センサ２１、第１２赤外線センサ２２、第１３赤外線センサ２３および第１４赤外線センサ２４を含む。
【００６５】
第１１、第１２、第１３、第１４赤外線センサ２１、２２、２３、２４は、各隅で三角測量によって表示領域（ＤＡ）における赤外線量の変化を感知する。
【００６６】
三角測量によると、第１１赤外線センサ２１と第１３赤外線センサ２３との間の直線距離（Ｌ）と、第１１赤外線センサ２１と第１３赤外線センサ２３との間の直線を基準に、第１１赤外線センサ２１の第１角度（θ）と第１３赤外線センサ２３の第２角度（φ）を測定し、その交差地点をタッチ位置と判断する。
【００６７】
この時、第１１赤外線センサ２１と第１２赤外線センサ２２との間、第１３赤外線センサ２３と第１４赤外線センサ２４との間、第１２赤外線センサ２２と第１４赤外線センサ２４との間でも、第１１赤外線センサ２１と第１３赤外線センサ２３との間でのような方法でタッチ位置を判断する。一点に対して、複数にタッチ位置の判断が行われるため、より正確に判断できる。
【００６８】
再び図１を参照すると、第１実施形態のプラズマディスプレイ装置は制御部３０を含む。制御部３０は、赤外線センサ２０で感知して印加される赤外線量変化の感知信号を受けて、赤外線量が変化された位置をタッチ位置と判断できるように構成される。
【００６９】
例えば、制御部３０は、表示領域（ＤＡ）に対して予め設定された位置データを保存し、保存された位置データと感知された赤外線量が変化された位置データを比較することによって、表示領域（ＤＡ）で物体（ＰＳ）のタッチ位置が判断できる。
【００７０】
制御部３０は、電気回路で多様に構成されるため、これに対する具体的な説明は省略する。制御部３０は、複数の印刷回路ボードアセンブリ１７のうち、いずれか一ヶ所に備えられ、第１実施形態ではロジックボード１７ｄに備えられている。
【００７１】
次に、タッチパネルの作動を概略的に説明する。プラズマディスプレイ装置が駆動されると、表示領域（ＤＡ）の前面から可視光と共に赤外線が放出される（図２参照）。
【００７２】
赤外線センサ２０は表示領域（ＤＡ）の前面から放出される赤外線を持続的に再感知している。この時、表示領域（ＤＡ）の前に物体（ＰＳ）が位置すると、均一な分布を有する赤外線は持続的な再感知によって、物体（ＰＳ）周囲で量の変化を起こす。
【００７３】
赤外線センサ２０は、この赤外線量の変化を継続的に感知する。
【００７４】
赤外線量変化の感知信号はロジックボード１７ｄの制御部３０に印加される。
【００７５】
制御部３０は、保存された位置データと、赤外線量に変化があると感知された位置データとを比較して、表示領域（ＤＡ）上で物体（ＰＳ）のタッチ位置を判断する。
【００７６】
（第２実施形態）
図７は、本発明の第２実施形態によるプラズマディスプレイ装置の分解斜視図である。
【００７７】
ここでは、第１実施形態と比較して、互いに類似する部分に関する説明を省略し、異なる部分を中心に説明する。
【００７８】
第１実施形態では、赤外線センサ２０はプラズマディスプレイパネル１１の前面に備えられるが、第２実施形態では、赤外線センサ４０はプラズマディスプレイパネル１１の背面に具備される。なお、プラズマディスプレイパネル１１の背面とは、プラズマディスプレイパネル１１と接触・非接触を問わず、赤外線センサ２０がプラズマディスプレイパネル１１の後方に位置していることを意味する。
【００７９】
第１実施形態で赤外線センサ２０は、プラズマディスプレイパネル１１の前または前面で赤外線量の変化を感知するが、第２実施形態で赤外線センサ４０はプラズマディスプレイパネル１１の後から赤外線量の変化を感知する。
【００８０】
従って、第１実施形態における赤外線センサ２０および制御部３０は、表示領域（ＤＡ）の前面から放出される赤外線の量変化を感知して物体（ＰＳ）のタッチ位置を判断するが、第２実施形態の赤外線センサ４０および制御部３０は、表示領域（ＤＡ）の前面から後面に反射して、後面から放出される赤外線の量変化を感知して物体（ＰＳ）のタッチ位置を判断する。
【００８１】
図８は、プラズマディスプレイパネルの背面から赤外線が放出される写真である。図８を参照すると、赤外線は表示領域（ＤＡ）の後面から均一な分布に放出（中央の明るい部分）されることが分かる。
【００８２】
図８を図６と比べると、表示領域（ＤＡ）の後面から放出される赤外線量が前面から放出される赤外線量より少ないが均一な分布に放出されることが分かる。
【００８３】
つまり、赤外線は表示領域（ＤＡ）の後面から均一な分布に放出される。また赤外線は表示領域（ＤＡ）の前の物体（ＰＳ）から後に反射して、表示領域（ＤＡ）の背面から放出される。この場合、反射された位置で赤外線量が変化される。赤外線量の変化を感知すると表示領域（ＤＡ）上で物体（ＰＳ）のタッチ位置が分かる。
【００８４】
このような相異点によって、第２実施形態は第１実施形態と異なった構成を有する。赤外線センサ４０がプラズマディスプレイパネル１１の背面に備えられることによって、シャーシーベース３５は第１実施形態のシャーシーベース１５と異なって形成される。
【００８５】
図９は、図７のプラズマディスプレイパネルの背面図である。
【００８６】
図９を参照すると、赤外線センサ４０はプラズマディスプレイパネル１１の背面に付着される。赤外線センサ４０は表示領域（ＤＡ）の前の物体（ＰＳ）から後面に反射して、後面から放出される赤外線によって、表示領域（ＤＡ）の後から赤外線量の変化を感知できれば、プラズマディスプレイパネル１１やシャーシーベース３５のうち、いずれか一ヶ所に付着されてもよい。なお、第２実施形態においては、赤外線センサ４０は４つの赤外線センサから形成される。
【００８７】
例えば、赤外線センサ４０はプラズマディスプレイパネル１１の背面で、表示領域（ＤＡ）の四角形の各隅に対応して、非表示領域（ＮＤ）に配置される第２１赤外線センサ４１、第２２赤外線センサ４２、第２３赤外線センサ４３および第２４赤外線センサ４４を含む。
【００８８】
第２１、第２２、第２３、第２４赤外線センサ（４１、４２、４３、４４）は、各隅で三角測量によって表示領域（ＤＡ）で赤外線量の変化を感知する。
【００８９】
三角測量によれば、第２１赤外線センサ４１と第２３赤外線センサ４３との間の直線距離（Ｌ）と、第２１赤外線センサ４１と第２３赤外線センサ４３との間の直線を基準に、第２１赤外線センサ４１の第１角度（θ）と第２３赤外線センサ４３の第２角度（φ）を測定し、その交差地点をタッチ位置と判断する。
【００９０】
この時、第２１赤外線センサ４１と第２２赤外線センサ４２との間、第２３赤外線センサ４３と第２４赤外線センサ４４との間、第２２赤外線センサ４２と第２４赤外線センサ４４との間でも、第２１赤外線センサ４１と第２３赤外線センサ４３との間でのような方法でタッチ位置を判断する。一点に対して、複数にタッチ位置の判断が行われるため、より正確に判断できる。
【００９１】
制御部３０は、赤外線センサ４０で感知して印加される赤外線量変化の感知信号を受けて、赤外線量が変化された位置を物体（ＰＳ）のタッチ位置と判断できるように構成される。
【００９２】
例えば、制御部３０は、表示領域（ＤＡ）に対して予め設定された位置データを保存し、保存された位置データと感知された赤外線量が変化された位置データとを比べることによって、表示領域（ＤＡ）で物体（ＰＳ）のタッチ位置を判断できる。
【００９３】
一方、シャーシーベース３５は、プラズマディスプレイパネル１１とシャーシーベース３５との間で赤外線センサ４０を収容でき、赤外線量の変化を感知できる空間（Ｓ）を提供する（図１１参照）。
【００９４】
図１０はシャーシーベース３５の斜視図である。
【００９５】
便宜上、先に説明すると、プラズマディスプレイパネル１１は互いに対向する長辺１１１対と、長辺１１１に直交し互いに対向する短辺２１１対を含む四角形に形成される。
【００９６】
図１０を参照すると、シャーシーベース３５は、第１水平部材１３５と第２水平部材２３５および垂直部材３３５を含む。
【００９７】
第１水平部材１３５は、長辺１１１対と短辺２１１対に対向してプラズマディスプレイパネル１１に付着される。第１水平部材１３５は四角形の枠で形成され、長辺１１１と短辺２１１の全体領域に付着される。
【００９８】
シャーシーベース３５とプラズマディスプレイパネル１１の付着面積において、第２実施形態は空間（Ｓ）によって第１実施形態に比べてさらに制限される。このような制限される状況下で、第１水平部材１３５は最大の付着面積を有するようにする。
【００９９】
両面テープ３４は、シャーシーベース３５とプラズマディスプレイパネル１１との間に介されて、両者を互いに付着する。つまり、両面テープ３４は互いに対向する第１水平部材１３５と長辺１１１対との間と、互いに対向する第１水平部材１３５と短辺２１１対との間に各々介される。
【０１００】
図１１は図７のＸＩ-ＸＩ線に沿って切断して示した断面図である。
【０１０１】
図１１を参照すると、第２水平部材２３５は第１実施形態のシャーシーベース１５のように印刷回路ボードアセンブリ１７の装着空間を提供する。
【０１０２】
垂直部材３３５は、第１水平部材１３５からプラズマディスプレイパネル１１の反対側に折り曲げられて第２水平部材２３５に連結される。つまり、シャーシーベース３５は、垂直部材３３５の大きさにより第１水平部材１３５と第２水平部材２３５との間の空間（Ｓ）が確定される。
【０１０３】
第１水平部材１３５がプラズマディスプレイパネル１１に付着されることによって、プラズマディスプレイパネル１１の背面とこれに対向する第２水平部材２３５との間の空間（Ｓ）にプラズマディスプレイパネル１１から発生された熱が放出される。
【０１０４】
垂直部材３３５は、一つ以上の通気孔３３５ａを備える。通気孔３３５ａはプラズマディスプレイパネル１１と第２水平部材２３５との間の空間（Ｓ）を外部に連結する。通気孔３３５ａを通して形成される気流によって空間（Ｓ）の熱を放出する。
【０１０５】
一方、第１および第２実施形態に適用される赤外線センサ２０、４０は、表示領域（ＤＡ）の前面と背面から放出される赤外線の量変化を感知する。
【０１０６】
従って、赤外線量の変化を認識できるものであれば、赤外線センサ２０、４０は他の要素に代替できる。例えば、赤外線カメラを用いる場合、赤外線センサ２０、４０と同じ位置に設置すればよい。
【０１０７】
（第３実施形態）
図１２は、本発明の第３実施形態によるプラズマディスプレイ装置におけるプラズマディスプレイパネルの正面図である。
【０１０８】
図１２を参照すると、赤外線カメラ５０はプラズマディスプレイパネルから放出される赤外線量の変化を撮影し、赤外線量変化の撮影信号を制御部３０または印刷回路ボードアセンブリ１７に印加する。
【０１０９】
赤外線カメラ５０はプラズマディスプレイパネル１１の前または前面に備えられ、この場合、前面から放出される波長８００〜１０００ｎｍの赤外線を撮影する。制御部３０は表示領域（ＤＡ）の前面で変化する赤外線量の信号に物体（ＰＳ）のタッチ位置を判断する。
【０１１０】
また、赤外線カメラ５０はプラズマディスプレイパネル１１の後または背面に備えられてもよい。この場合、前面から背面に反射されて背面から放出される波長８００〜１０００ｎｍの赤外線を撮影する。
【０１１１】
この時にも赤外線カメラ５０は、プラズマディスプレイパネル１１の背面で直ちに放出される波長８００〜１０００ｎｍの赤外線を共に撮影する。背面で直ちに放出される赤外線は前面から背面に反射される赤外線の変化に関らず均一に放出される。制御部３０は表示領域（ＤＡ）の背面で変化する赤外線量の信号に物体（ＰＳ）のタッチ位置を判断する。
【０１１２】
便宜上説明すると、表示領域（ＤＡ）は第１、第２、第３、第４感知領域（ＤＡ１、ＤＡ２、ＤＡ３、ＤＡ４）に区切られる。第１１赤外線カメラ５１はある一隅の第１感知領域（ＤＡ１）を感知し、第１２赤外線カメラ５２は他の隅の第２感知領域（ＤＡ２）を感知し、第１３赤外線カメラ５３はまた他の隅の第３感知領域（ＤＡ３）を感知し、第１４赤外線カメラ５４は残り一隅の第４感知領域（ＤＡ４）を感知する。
【０１１３】
第１、第２、第３、第４感知領域（ＤＡ１、ＤＡ２、ＤＡ３、ＤＡ４）は互いに隣接する他の感知領域と部分的に重なるため、表示領域（ＤＡ）全体で赤外線量の変化感知の漏れを防止できる。
【０１１４】
（第４実施形態）
図１３は、本発明の第４実施形態によるプラズマディスプレイ装置の断面図である。
【０１１５】
ここでは第１ないし第３実施形態と第４実施形態を比べて、互いに類似する部分に関する説明は省略し、互いに異なる部分について説明する。
【０１１６】
図１３を参照すると、第４実施形態によるプラズマディスプレイ装置は、プラズマディスプレイパネル１１の側面にディテクター６０を備える。ディテクター６０は、プラズマディスプレイパネル１１の側面で前方または後方（図示せず）から放出される赤外線の量の変化を検出する。
【０１１７】
第１、第２実施形態は赤外線センサ２０、４０を用い、第３実施形態は赤外線カメラ５０を用いることに対して、第４実施形態はディテクター６０を用いる。ディテクター６０は赤外線センサ２０、４０および赤外線カメラ５０を含み、その他赤外線の量の変化を検出する物を含む。
【０１１８】
また、第１ないし第３実施形態はプラズマディスプレイパネル１１の前面または背面で赤外線の量変化を感知することに対して、第４実施形態はプラズマディスプレイパネル１１の側面で赤外線の量変化を検出する。すなわち、第４実施形態は、ディテクター６０が、プラズマディスプレイパネル１１の側面において、プラズマディスプレイパネル１１の前方から後方にかけて形成されている。したがって、プラズマディスプレイパネル１１の前方または／および後方に放出される赤外線量の変化を検出することができる。
【０１１９】
ディテクター６０による赤外線量の変化を検出してタッチ位置を判断する方法は、第１ないし第３実施形態で説明した方法を適用できる。
【０１２０】
（第５実施形態）
図１４は、本発明の第５実施形態によるプラズマディスプレイ装置の斜視図であり、図１５は図１４のＸＩＶ-ＸＩＶ線に沿って切断して示した断面図である。
【０１２１】
図１４および図１５を参照すると、第５実施形態によるプラズマディスプレイ装置は受光センサ７１と受光センサフィルタ７２をさらに含む。
【０１２２】
第５実施形態のプラズマディスプレイ装置は、赤外線通過フィルタ（ＩＦ）を適用する場合に適用される。前記で説明したように、赤外線通過フィルタ（ＩＦ）はプラズマディスプレイパネル１１から放出される赤外線のうち、８００〜１０００ｎｍの波長帯を透過させ、他の波長帯を遮断する。
【０１２３】
従って、赤外線通過フィルタ（ＩＦ）が適用される場合、赤外線通過フィルタ（ＩＦ）を通る８００〜１０００ｎｍ波長帯の赤外線は、リモコン（図示せず）から受光センサ７１に照射される９００〜９５０ｎｍ波長帯の赤外線と重なって、リモコンの誤作動を誘発させることもありうる。
【０１２４】
受光センサフィルタ７２は、受光センサ７１の前方に設置されて、リモコンから照射される９００〜９５０ｎｍ波長帯の赤外線を通過させ、他の波長帯の赤外線を遮断するように構成される。
【０１２５】
また、受光センサフィルタ７２が９００〜９５０ｎｍ波長帯の赤外線を通過させるため、赤外線通過フィルタ（ＩＦ）は８００〜１０００ｎｍ波長帯を透過させると共に、リモコンから照射される９００〜９５０ｎｍ波長帯の赤外線に対する遮断率をより高めるのが良い。
【０１２６】
プラズマディスプレイ装置において、受光センサ７１および受光センサフィルタ７２は多様な位置に多様な構造で設置および形成できる。
【０１２７】
例えば、プラズマディスプレイ装置は、プラズマディスプレイパネル１１の前方とシャーシーベース１５の後方を各々囲むフロントケース７３とリアケース７４を含む。フロントケース７３とリアケース７４は締結部材７５によって締結される。
【０１２８】
受光センサ７１は、プラズマディスプレイパネル１１の範囲の外に配置され、フロントケース７３の内側に設けられる。従って、受光センサフィルタ７２は受光センサ７１の前方に配置され、フロントケース７３の内側に設けられる。
【０１２９】
受光センサフィルタ７２は、２価の銅イオンを含む燐酸塩ガラス製フィルタ、ガラス表面に金属の薄層が形成されたフィルタ、または色素を含む樹脂で形成されたフィルタで形成されてもよい。
【０１３０】
例えば、ガラス表面に金属の薄層が形成されたフィルタはガラス表面に銀（Ａｇ）の薄層を蒸着、スパッタリングまたはイオンメッキする方法によって形成できる。
【０１３１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【０１３２】
【図１】本発明の第１実施形態によるプラズマディスプレイ装置の分解斜視図である。
【図２】図１のＩＩ-ＩＩ線による断面図である。
【図３】図１のプラズマディスプレイパネルの正面図である。
【図４】プラズマディスプレイパネルの発光スペクトルを示したグラフである。
【図５】プラズマディスプレイパネルの正面から可視光と赤外線が放出される写真である。
【図６】プラズマディスプレイパネルの正面から赤外線が放出される写真である。
【図７】本発明の第２実施形態によるプラズマディスプレイ装置の分解斜視図である。
【図８】プラズマディスプレイパネルの背面から赤外線が放出される写真である。
【図９】図７のプラズマディスプレイパネルの背面図である。
【図１０】シャーシーベースの斜視図である。
【図１１】図７のＸＩ-ＸＩ線による断面図である。
【図１２】本発明の第３実施形態によるプラズマディスプレイ装置で、プラズマディスプレイパネルの正面図である。
【図１３】本発明の第４実施形態によるプラズマディスプレイ装置の断面図である。
【図１４】本発明の第５実施形態によるプラズマディスプレイ装置の斜視図である。
【図１５】図１４のＸＩＶ-ＸＩＶ線に沿って切断して示した断面図である。
【符号の説明】
【０１３３】
１１    プラズマディスプレイパネル
１１ａ、１１ｂ    基板
１１１、２１１    辺
１３    放熱シート
１４、３４    両面テープ
１５、３５    シャーシーベース
１７    印刷回路ボードアセンブリ
１７ａ    維持電極駆動ボード
１７ｂ    走査電極駆動ボード
１７ｃ    アドレスバッファーボード
１７ｄ    ロジックボード
１７ｅ    パワーサプライボード
１８    ボス
１９    セットスクリュー
２０、４０    赤外線センサ
６０    ディテクター
７１    受光センサ
７２    受光センサフィルタ
７３    フロントケース
７４    リアケース
２１、２２、２３、２４    赤外線センサ
４１、４２、４３、４４    赤外線センサ
５１、５２、５３、５４    赤外線カメラ
１３５、２３５    水平部材
３３５    垂直部材
３３５ａ    通気孔
ＤＡ１、ＤＡ２、ＤＡ３、ＤＡ４    感知領域
ＤＡ    表示領域
ＮＤ    非表示領域
Ｓ    空間
【図１】
0004549412.tif 000002
【図２】
0004549412.tif 000003
【図３】
0004549412.tif 000004
【図４】
0004549412.tif 000005
【図７】
0004549412.tif 000006
【図９】
0004549412.tif 000007
【図１０】
0004549412.tif 000008
【図１１】
0004549412.tif 000009
【図１２】
0004549412.tif 000010
【図１３】
0004549412.tif 000011
【図１４】
0004549412.tif 000012
【図１５】
0004549412.tif 000013
【図５】
0004549412.tif 000014
【図６】
0004549412.tif 000015
【図８】
0004549412.tif 000016